(57)【要約】【課題】  低コストで簡易に製造することができる植木ポットを提供する。【解決手段】  第１、第２及び第３の貝殻ポット部１，２，３を組み合わせていると共に、これらの貝殻ポット部が線状体４と接着材５とからなる結合手段によって結合されており、各貝殻ポット部は廃棄された貝殻からなり、その内部が養土を収納する収納室１ａ，２ａ，３ａであり、その下部に上記収納室に通じる水抜き口を開け、第３の貝殻ポット部３の殻口と上記下部との間に収納室３ａに達する養土を補充するための補充口３ｃを開け、線状体４は各貝殻ポット部の上側間を結合し、接着材５は隣接している各貝殻ポット部間を結合している。【選択図】        図１
0003116911.tif 000002
【実用新案登録請求の範囲】
【請求項１】
少なくとも３個の貝殻ポット部を組み合わせていると共に、これらの貝殻ポット部が結合手段によって結合されており、
上記各貝殻ポット部は廃棄された貝殻からなり、その内部が養土を収納する収納室となっており、その下部に上記収納室に通じる水抜き口を開けてあり、各貝殻ポット部のうち少なくともいずれか一つの貝殻ポット部の殻口と上記下部との間に上記収納室に達する養土を補充するための補充口を開けてあり、
上記結合手段は隣接している上記貝殻ポット部間を結合している線状体と接着材とからなる
ことを特徴とする植木ポット。
【請求項２】
中心部を囲むように第１、第２及び第３の貝殻ポット部を配置して組み合わされていると共に、１本の線状体によって各貝殻ポット部の上側間を緊結していることを特徴とする請求項１記載の植木ポット。
【請求項３】
中心部に空間が開けられており、この空間はその下部に網状の底板を張ってポット部として利用するものであることを特徴とする請求項２記載の植木ポット。
【請求項４】
貝殻ポット部は、サザエとホラ貝の中から選択されるものであることを特徴とする請求項１乃至請求項３のいずれかに記載の植木ポット。
【考案の詳細な説明】
【技術分野】
【０００１】
この考案は、寄植えなどができる廃棄された貝殻類を利用した植木ポットに関するものである。
【背景技術】
【０００２】
植木ポットとして、例えば特開平１１−１７８４４９号公報に記載の「寄植え用植木鉢」、特開２００１−２８９４８号公報に記載の「組立収納兼用の伸縮立体式ガーデンフラワースタンド」、特開２００１−７８５７８号公報に記載の「組立式植木鉢」（以下「従来例１」、「従来例２」及び「従来例３」という。）などが提案されている。
従来例１は、植木鉢の内部を隔壁で２室に分割し、隔壁の内室内に植木鉢を挿入可能とし、隔壁の外周に植物を植えることができる空間の外周室を設け、外周室に好みの草花を植え、内室には植物を植え込んでいる市販されている植木鉢を挿入するものである。
従来例２は、３個の筒状鉢受部を接続した３連結鉢部と、この３連結鉢部を２段以上立体的に連結したガーデンフラワースタンド本体を設け、各３連結鉢部にガーデンフラワーを植え込むものである。
従来例３は、上下に分離自在に接続される複数個の鉢本体を備え、これらの鉢本体は上下に貫通した栽植材保持空間と上側開口部とを有し、上下の鉢本体間は上下両端側の接続用嵌合突起と、これらの突起に挿入する接続用棒部材を用いて接続するものである。
【特許文献１】特開平１１−１７８４４９号公報
【特許文献２】特開２００１−２８９４８号公報
【特許文献３】特開２００１−７８５７８号公報
【考案の開示】
【考案が解決しようとする課題】
【０００３】
いずれの従来例も、寄植えや立体的な植木を鑑賞することができ、狭い庭や集合住宅のベランダでも鉢植えを楽しむことができる。
しかしながら、従来例１及び従来例３では寄植えや立体式植木鉢にするために、また従来例２では立体式ガーデンフラワースタンドにするために、特別加工を施す必要があり、製造コストがかかり、また製造に熟練を必要し、簡易に製造することが難しかった。
この考案の目的は、低コストで簡易に製造することができる植木ポットを提供することにある。
【課題を解決するための手段】
【０００４】
この考案の第１の特徴は、３個又はそれ以上の貝殻ポット部を組み合わせていると共に、これらの貝殻ポット部が結合手段によって結合されていることにある。上記各貝殻ポット部が廃棄された貝殻からなり、その内部が養土を収納する収納室となっており、その下部に上記収納室に通じる水抜き口を開けてあり、各貝殻ポット部のすべて又は任意の貝殻ポット部の殻口と上記下部との間に上記収納室に達する養土を補充するための補充口を開けてあり、上記結合手段は隣接している上記貝殻ポット部間を結合している線状体と接着材とからなる。
この考案の第２の特徴は、第１の特徴を前提として、植木ポットの中心部を囲むように第１、第２及び第３の貝殻ポット部を配置して組み合わされていると共に、１本の線状体によって各貝殻ポット部の上側間を緊結していることにある。
この考案の第３の特徴は、第２の特徴を前提として、植木ポットの中心部に空間が開けられており、この空間がその下部に網状の底板を張ってポット部として利用するものであることにある。
この考案の第４の特徴は、第１乃至第３のいずれかの特徴を前提として、貝殻ポット部がサザエとホラ貝の中から選択されるものであることにある。
【考案の効果】
【０００５】
この考案によれば、廃棄処分された貝殻を組み合わせて使用し、貝殻の内部空間は養土が入るための収納室としてそのまま利用することができるので、低コストの植木ポットを提供することができる。
この考案によれば、水抜き口と補充口を開けるのみで植木を育成できるポット部が完成されるので、加工手間がかからず、熟練が不要であって、簡易に製造することができる。
【考案を実施するための最良の形態】
【０００６】
図１〜図３を参照してこの考案に係る植木ポットＰ１について説明する。
植木ポットＰ１は、３個の貝殻ポット部１，２，３を組み合わせて形成されていると共に、これらの貝殻ポット部が結合手段を構成している線状体４と接着材５とによって結合されている。
【０００７】
各貝殻ポット部１，２，３の具体的構成について説明する。
各貝殻ポット部１，２，３はレストラン、飲食店などから廃棄処分された、例えば巻貝（サザエ、ほら貝など）などの貝殻類が用いられている。
各貝殻ポット部１，２，３は図１に示す例ではいずれも廃棄されたサザエが用いられており、その中心部を囲むように配置され、第１の貝殻ポット部１の殻口を上に向け、第２の貝殻ポット部２も同様に殻口を上側に向け、第３の貝殻ポット部３も上向きとしており、そしてこの第３の貝殻ポット部はその殻口側を第１の貝殻ポット部１の殻口側に隣接させ、その先端部側を第２の貝殻ポット部２の殻口側に近接させ、全体として各貝殻ポット部の下部を水平になるように組み合わされている。
各貝殻ポット部１，２，３は、いずれもその内部空間を養土収納用の収納室１ａ，２ａ，３ａとして利用するものであり、養土が殻口から収納室内に供給される。組み立てられた各貝殻ポット部１，２，３の下部すなわち、各収納室の底面には水抜き口１ｂ，２ｂ，３ｂを開けてある。
各貝殻ポット部１，２，３のすべて又は任意において、その殻口と下部との間に、各収納室１ａ，２ａ，３ａが殻口から底面に向けて屈曲されていて殻口から養土が十分かつ密に充填することができない場合を考慮して、外部から各収納室に達する補充口を開けてあり、図１では第３の貝殻ポット部３の上側に補充口３ｃを開けてある。換言すれば、収納室１ａ，２ａ，３ａの形状に応じて、例えばすべて又は若しくは一つ又は二つの貝殻ポット部１，２，３について，内部への養土Ｓの充填が不十分であると判断した場合には、各貝殻ポット部に補充口（図１では補充口３ｃ）を設けて、補充口を通じて各収納室内へ養土を補給する。
草花などの植木は各貝殻ポット部１，２，３の殻口を通じて植えられるものであるが、補充口（図１では補充口３ｃ）を通じても植えられる。
【０００８】
貝殻ポット部１，２，３の結合手段について説明する。
結合手段は、図１及び図３に示すように各貝殻ポット部１，２，３の上側間を結合するための線状体４と、図１及び図２に示すように隣接している各ポット用間の結合を補強するための接着材５とからなる。線状体４としてステンレス製針金などが使用され、接着材５としてシリコンボンドなどが使用される。接着材５による結合部分は、植木ポットＰ１の外観を損なわないようにするために、外側から見えにくい植木ポットＰ１の中心部の裏側が望ましい。
線状体４による結合方法は、図１及び図３に示す例では、隣接している第１の貝殻ポット部１の殻口側と、第２の貝殻ポット部２の殻口側との間が上下にドリルなどで開けられた孔を通している針金により連結され、そして隣接している第１の貝殻ポット部１の殻口側と、第３の貝殻ポット部３の殻口側との間が上下にドリルなどで開けられた孔を通している針金により連結されている。
線状体４は貝殻ポット部１，２，３を植木ポットＰ１の中心部に向けて互いを堅固に結合するものであり、接着材５は各貝殻ポット部の結合を一体化しかつ補強する役割を持つものである。
【０００９】
植木ポットＰ１は置き台の上に乗せて、装飾性を高めるようにすることが望ましい。置き台の材質としては、木製の板材やアワビのような平たい廃棄処分された貝類などが用いられる。例えばアワビにあっては、裏側を上にして複数個組み合わせて置き台を組み立てる。
【００１０】
次に、植木ポットＰ１の使用方法について説明する。
各貝殻ポット部１，２，３内の収納室１ａ，２ａ，３ａ内に殻口から養土Ｓを入れ、収納室の形状によっては充填が密に行えない場合には、予め補充口（図１では補充口３ｃ）を開けておいて、補充口から養土を補給する。そして、植木として例えば多肉植物を種類毎に各貝殻ポット部１，２，３に植え込む。同時に、補充口（図１では補充口３ｃ）がある貝殻ポット部１，２，３については、その補充口から多肉植物を植える。その後、各貝殻ポット部１，２，３に水を供給してから、植木ポットＰ１を必要に応じて置き台上に乗せて、適宜場所に設置する。
この結果、植木ポットＰ１はその目的に応じて、例えば寄植えを目的とすれば、種類の異なる植木を各貝殻ポット部１，２，３に植えれば、寄植え用植木鉢となる。
【００１１】
図１及び図２に示す植木ポットＰ１の中心部の空間６をポット部として利用しても良い。この場合には、空間６の下部に網状の底板７を張って、その内部に養土を収納可能とする。
このように、第１、第２及び第３の貝殻ポット部１，２，３を組み合わせて、各貝殻ポット部によって形成された植木ポットＰ１の中心部の空間６にポット部を設けることによって、ポット部の数が増してより広い植木の養地を確保することができる。
【００１２】
植木ポットＰ１を構成している貝殻ポット部の数は、図１に示すように３個に限られず、４個以上の貝殻ポット部を組み合わせたものであっても良い。
図４では４個の貝殻ポット部を組み合せた配置パターンの例を概略線で示している。
図示する植木ポットＰ２では、４個の貝殻ポット部２１，２２，２３，２４のうち、３個の貝殻ポット部２１，２２，２３を植木ポットＰ１における貝殻ポット部１，２，３と同様に中心部を囲むように組み合わせて、この中心部の上側に残りの貝殻ポット部２４を乗せて立体植木ポットを構成している。
図５では６個の貝殻ポット部を組み合せた配置パターンの例を概略線で示している。
図示する植木ポットＰ３では、６個の貝殻ポット部３１，３２，３３，３４，３５，３６のうち、３個の貝殻ポット部３１，３２，３３を植木ポットＰ１における貝殻ポット部１，２，３と同様に中心部を囲むように組み合わせ、隣接している貝殻ポット部の外側に残りの貝殻ポット部３４，３５，３６を結合している。
【００１３】
植木ポットＰ１，Ｐ２，Ｐ３は既存のしかも廃棄処分された貝殻を組み合わせて使用し、これらの貝殻はそれ自体に養土が入る収納室としての内部空間を備えているので、格別収納室を有するポット部を加工する必要がなく、植木ポットの主要部が完成され、しかも水抜き口と補充口を開けるのみで植木を育成できるポット部が完成され、また貝殻を結合手段で結合することにより植木ポットが仕上がるので、製造コストは線状体４及び接着材５の費用と、孔開け作業だけで済み、製造コストを安価に抑えることができ、熟練を要することなく、簡易に加工製造することができる。
植木ポットＰ１，Ｐ２，Ｐ３は既存のしかも廃棄処分された貝殻を用いるために、廃棄物の有効利用に役立ち、環境保護の観点から有益である。また植木ポットＰ１，Ｐ２，Ｐ３では、使用中に各貝殻ポット部１，２，３，２１，２２，２３，２４，３１，３２，３３，３４，３５，３６からカルシウムが溶け出して、植木の種類によってはその育成に役立つ利点がある。
【００１４】
線状体４による結合方法として、図１に示すように、隣接している第１の貝殻ポット部１と第２の貝殻ポット部２の殻口側同士、そして第１の貝殻ポット部と第３の貝殻ポット部３の殻口側同士を連結するようにすると、結合作業が容易になるが、必ずしもこの例に限定されない。例えば図６に示すように、１本の線状体４によってすべての貝殻ポット部１，２，３の上側間を緊結するようにしても良く、この種の結合方法によれば、１本の線状体で済むので、少ない手間で結合することができる利点がある。
【図面の簡単な説明】
【００１５】
【図１】この考案に係る植木ポットを示す平面図である。
【図２】この考案に係る植木ポットを示す底面図である。
【図３】図１のＩＩＩ−ＩＩＩ線断面図である。
【図４】この考案に係る植木ポットにおける各貝殻ポット部の配置パターンの他の例を概略線で示すパターン図である。
【図５】この考案に係る植木ポットにおける各貝殻ポット部の配置パターンのさらに他の例を概略線で示すパターン図である。
【図６】この考案に係る植木ポットにおける各貝殻ポット部を１本の線状体によって緊結している結合方法の他の例を示す平面図である。
【符号の説明】
【００１６】
１                        第１の貝殻ポット部（貝殻ポット部）
２                        第２の貝殻ポット部（貝殻ポット部）
３                        第３の貝殻ポット部（貝殻ポット部）
１ａ，２ａ，３ａ          収納室
１ｂ，２ｂ，３ｂ          水抜き口
３ｃ                      補充口
４                        線状体（結合手段）
５                        接着材（結合手段）
６                        空間
７                        底板
２１，２２，２３，２４    貝殻ポット部
３１，３２，３３          貝殻ポット部
３４，３５，３６          貝殻ポット部
Ｐ１，Ｐ２，Ｐ３          植木ポット
Ｓ                        養土
【図１】
0003116911.tif 000003
【図２】
0003116911.tif 000004
【図３】
0003116911.tif 000005
【図４】
0003116911.tif 000006
【図５】
0003116911.tif 000007
【図６】
0003116911.tif 000008